(57)【要約】【課題】  燃料供給装置が有する高圧ポンプにおけるコネクタ支持部と中空部との間に形成される隙間から生じる腐食やシール漏れの発生を防止する。【解決手段】  ハウジング１に内蔵される電動式の高圧ポンプ３における筒状の胴部３４の上端面３５に突出させた電源用コネクタ部３２１を露出させた筒状のコネクタ支持部３２と蓋体２の頂面２２に形成した中空部２７の内周面との間に前記中空部２７の頂面２７１と面一になるようシール材２９を嵌挿させ、前記コネクタ支持部３２の周囲における所定の高さ位置に下面５１が前記中空部２７の頂面２７１と面一に配置され前記中空部２７の内形に一致する外形を有するフランジ５を突設させた。【選択図】図４
2017002828.tif 000002
【特許請求の範囲】
【請求項１】
リザーバを兼ねる燃料貯留槽を形成するハウジング本体と前記ハウジング本体の上面に形成した開口を気密に覆う蓋体を有するハウジング内に、前記燃料貯留部に貯留される燃料を吸引して前記蓋体の裏面に形成した管状の燃料吐出パイプから吐出してエンジンに供給するための高圧ポンプが配置され、前記高圧ポンプが電動式のポンプ部を内蔵するとともにその一部に吸込口を有している筒状の胴部の上端面に筒状の吐出部と先部に電源用コネクタ部を露出させた筒状のコネクタ支持部とがそれぞれ突出しており、前記胴部の上部が前記蓋体の頂面に下方へ向けて垂設した筒状の胴部接続片にシール材を介して蓋体に気密状態で嵌挿保持されているとともに、前記吐出部が前記蓋体に形成した前記燃料吐出パイプに気密に連結されており、且つ前記コネクタ支持部が前記蓋体に形成した中空部から突出させた燃料供給装置において、前記コネクタ支持部が前記蓋体の頂面に形成した前記中空部の内周面にシール材を介して嵌挿されていることを特徴とする燃料供給装置。
【請求項２】
前記コネクタ支持部と前記中空部の内周面との間に嵌挿されたシール材が前記中空部の頂面と面一に配置されているとともに前記コネクタ支持部の周囲における所定の高さ位置に下面が前記蓋体の中空部の頂面と面一に配置される高さ位置に前記中空部の内形に一致する外形を有するフランジが突設されていることを特徴とする請求項１記載の燃料供給装置。
【発明の詳細な説明】
【技術分野】
【０００１】
本発明は、燃料タンクとエンジンとを連結する燃料供給管の途中に配設されて前記燃料タンク内に貯留した燃料をエンジンに供給するために用いられるリザーバを有する燃料供給装置に関するものである。
【背景技術】
【０００２】
従来、燃料タンクに貯留した液体燃料をエンジンに供給する際に、急加速や急減速があっても燃料が途切れることなく供給することが必要であり、また、エンジン稼働に伴って生じる燃料供給管における高温による燃料の蒸発を防ぐことも必要である。
【０００３】
そこで、例えば米国特許第６３９０８７１号公報（特表２０１３−５１６５７６号公報）に、リザーブタンク内に２つのポンプを備えたエンジン制御モジュール（燃料供給装置）が提示されている。このエンジン制御モジュール（燃料供給装置）は、燃料タンクから燃料をリザーブタンクに汲み上げる揚力ポンプである第１の燃料ポンプと、前記リザーブタンクに汲み上げた燃料をより高い圧力下でエンジンの燃料レールに送り込む第２の燃料ポンプをリザーブタンク内に配置することで、燃料管の配管の節約、製造の容易さについても効果を有するものである。
【０００４】
そこで、本件出願人はきわめて効率のよいリザーバ付きの燃料供給装置を提案した（米国特許出願第１４／２９３，５９５号）。
【０００５】
このリザーバ付きの燃料供給装置は、図１、図２、図５および図６に示すように、上面を開口した有底で内部に燃料貯留槽１２を形成したハウジング本体１１の開口１３をシール材を介して気密に覆う蓋体２が板状のスプリングクリップ１０により固着されたハウジング１と、前記ハウジング本体１１内に配置される前記燃料貯留槽１２に貯留させた燃料を前記蓋体２に形成した燃料吐出パイプ２１から吐出させる高圧ポンプ３と、前記ハウジング本体１１の１つの壁面１４に取り外し可能に且つ一体的に取り付けられて燃料タンク（図示せず）から燃料パイプ（図示せず）を接続して前記ハウジング本体１１の燃料貯留槽１２内に供給するための例えば低圧のダイヤフラム式のパルスポンプからなる低圧ポンプ４を有している。
【０００６】
また、前記高圧ポンプ３はハウジング本体１１の底部に設置される例えば合成ゴムのような弾性材により形成されて底部に前記燃料貯留部１２に連通する流路６２を有する保持部材６の取付凹部６１に電動式のポンプ部を内蔵する胴部３４の下端に配置された吸込口３１を流路６２に開口させた状態で嵌め込まれることで押圧保持されて設置されており、前記保持部材６に形成された前記流路６２に連通するもう一つの取付凹部６３にはブリットタイプのフィルター７が送出口７１を前記流路６２に開口した状態で併設されている。
【０００７】
更に、前記蓋体２の内側には前記燃料貯留槽１２に貯留する燃料の液面位置を決めるフロート８が設置されている。このフロート８には蓋体２の内側に配置された前記高圧ポンプ３の吐出部３３に接続された燃料吐出パイプ２１と前記燃料貯留槽１２に連通するレギュレータ９が貫通した状態で配置されている。
【０００８】
この従来例は、ハウジング１に突設された取付部１８を介してエンジンや車体など（図示せず）に固定されて使用される。低圧ポンプ４から導入される燃料タンク（図示せず）からの燃料が、ハウジング本体１１の壁面１４に形成された取込口１５から蓋体２の内部に配置された燃料通路１６、弁体１７を介して燃料貯留槽１２に導入されてフロート８により所定の液面まで貯留される。同時に電動式のポンプを有する高圧ポンプ３が稼働して燃料貯留槽１２内の燃料を燃料吐出パイプ２１から吐出させるものである。
【０００９】
ところで、この従来例では、高圧ポンプ３が前記胴部３４の上端面３５に筒状の吐出部３３と先部に電源用コネクタ部３２１を露出させた筒状のコネクタ支持部３２とがそれぞれ突出しており、前記胴部３４の上部が前記蓋体２の頂面２２に下方へ向けて垂設した筒状の胴部接続片２３にシール材２４，２５を介して蓋体２に気密状態で嵌挿保持されているとともに、前記吐出部３３が前記蓋体２に形成した前記燃料吐出パイプ２１にシール材２６を介して気密に連結されている。
【００１０】
しかしながら、前記コネクタ支持部３２は前記蓋体２に形成した中空部２７から突出させて電源用コネクタ部３２１をハウジング１の外部に露出させてハウジング１を気密にした状態で電源用コネクタ部３２１に外部電源を接続可能としたものである。
【００１１】
そのため、図６に示すように、前記中空部２７に露出する高圧ポンプ３の胴部３４の上端面３５におけるコネクタ支持部３２と中空部２７との間に隙間２８が形成されることになり、使用時に前記隙間２８に水分や塵埃などが混入して溜まり、腐食やシール不良が発生するおそれがあり、海やその近隣で使用されると塩水による影響は更に著しく、特に、この部分における気密保持は胴部３４に施したシール材２４，２５に委ねられており、十分とはいえない。
【先行技術文献】
【特許文献】
【００１２】
【特許文献１】米国特許第６３９０８７１号公報
【発明の概要】
【発明が解決しようとする課題】
【００１３】
本発明は、前記従来の燃料タンクに貯留した液体燃料をエンジンに供給するために燃料供給管の途中に配設される燃料供給装置が有する高圧ポンプにおけるコネクタ支持部と中空部との間に形成される隙間から生じる腐食やシール漏れの発生を防止することを課題とする。
【課題を解決するための手段】
【００１４】
前記課題を解決するためになされた本発明は、リザーバを兼ねる燃料貯留槽を形成するハウジング本体と前記ハウジング本体の上面に形成した開口を気密に覆う蓋体を有するハウジング内に、前記燃料貯留部に貯留される燃料を吸引して前記蓋体の裏面に形成した管状の燃料吐出パイプから吐出してエンジンに供給するための高圧ポンプが配置され、前記高圧ポンプが電動式のポンプ部を内蔵するとともにその一部に吸込口を有している筒状の胴部の上端面に筒状の吐出部と先部に電源用コネクタ部を露出させた筒状のコネクタ支持部とがそれぞれ突出しており、前記胴部の上部が前記蓋体の頂面に下方へ向けて垂設した筒状の胴部接続片にシール材を介して蓋体に気密状態で嵌挿保持されているとともに、前記吐出部が前記蓋体に形成した前記燃料吐出パイプに気密に連結されており、且つ前記コネクタ支持部が前記蓋体に形成した中空部から突出させた燃料供給装置において、前記コネクタ支持部が前記蓋体の頂面に形成した前記中空部の内周面にシール材を介して嵌挿されていることを特徴とする。
【００１５】
また、本発明において、前記コネクタ支持部と前記中空部の内周面との間に嵌挿されたシール材が前記中空部の頂面と面一に配置されているとともに前記コネクタ支持部の周囲における所定の高さ位置に下面が前記蓋体の中空部の頂面と面一に配置される高さ位置に前記中空部の内形に一致する外形を有するフランジが突設されていると更に好ましい。
【発明の効果】
【００１６】
本発明によれば、前記従来の燃料タンクに貯留した液体燃料をエンジンに供給するために燃料供給管の途中に配設される燃料供給装置が有する高圧ポンプにおけるコネクタ支持部と中空部との間に形成される隙間から生じる腐食やシール漏れの発生を防止することができるとともにハウジング全体の気密性を向上させることができる。
【図面の簡単な説明】
【００１７】
【図１】本発明の好ましい実施および従来例についての分解斜視図。
【図２】図１に示した本発明の実施の形態における蓋体および高圧ポンプを示す平面図。
【図３】図１に示した本発明の実施の形態における縦断面図。
【図４】図１に示した本発明の実施の形態における要部を示す拡大縦断面図。
【図５】従来例の縦断面図。
【図６】従来例における要部を示す拡大縦断面図。
【発明を実施するための形態】
【００１８】
以下に、本発明の好ましい実施の形態について図面を参照して詳細に説明する。
【００１９】
図１乃至図４は本発明である燃料供給装置の好ましい実施の形態を示すものであり、燃料供給装置全体の構成は、前記従来例とほぼ同様であり、全体の構成についての説明は省略する。
【００２０】
そして、本実施の形態では、図２および図３に示すように、高圧ポンプ３が電動式のポンプ部（図示せず）を内蔵するとともにその一部に吸込口３１を有している筒状の胴部３４の上端面３５に筒状の吐出部３３と先部に電源用コネクタ部３２１を露出させた筒状のコネクタ支持部３２とがそれぞれ突出しており、胴部３４の上部が蓋体２の頂面２２に下方へ向けて垂設した筒状の胴部接続片２３にシール部材２４，２５を介して蓋体２に気密状態で嵌挿保持されているとともに、前記吐出部３３が蓋体２に形成した燃料吐出パイプ２１にシール材２６を介して気密に連結されており、コネクタ支持部３２が蓋体２に形成した中空部２７から突出しており、コネクタ支持部３２が蓋体２の頂面２２に形成した中空部２７の内周面に形成される隙間２８にシール材２９を介して嵌挿されている。
【００２１】
従って、本実施の形態では前記図４および図５に示した従来例のように中空部２７とコネクタ支持部３２との間に隙間２８が形成されないので隙間２８に水分や塵埃などが溜まることによる腐食やシール漏れを生じることがなく、特にコネクタ支持部３２部分についても胴部３４に設置したシール材２４，２５とシール材２９により気密状態が構築されるので確実にこの部分でのシール漏れを防ぐことができる。
【００２２】
更に、本実施の形態では、前記コネクタ支持部３２と中空部２７の内周面との間に嵌挿されたシール材２９が中空部２７の頂面２７１と面一に配置されているとともにコネクタ支持部３２の周囲における所定の高さ位置に下面５１が蓋体２における中空部２７の頂面２７１と面一に配置される中空部２７の内形に一致する外形を有するフランジ５が突設されている。
【００２３】
従って、フランジ５がシール材２９を覆ってフランジ５に直接的に水がかからない構造であり、防水性を発揮して更に耐水性や耐腐食性の向上を図ることができる。
【００２４】
尚、本実施の形態において各所に用いたシール材としては例えば従来周知のシリコンゴム製の比較的硬度の低いＯリングなどを使用することが可能であり、組み付けの面からも好ましい。
【符号の説明】
【００２５】
１  ハウジング、２  蓋体、３  高圧ポンプ、４  低圧ポンプ、５  フランジ、６  保持部材、７  フィルター、８  フロート、９  レギュレータ、１０  スプリングクリップ、１１  ハウジング本体、１２  燃料貯留槽、１４  壁面、１５  取込口、１６  燃料通路、１７  弁体、１８  取付部、２１  燃料吐出パイプ、２２  頂面、２３  胴部接続片、２４  シール材、２５  シール材、２６  シール材、２７  中空部、２８  隙間、２９  シール材、３１  吸込口、３２  コネクタ支持部、３３  吐出部、３４  胴部、３５  上端面、５１  下面、６１  取付凹部、６２  流路、６３  取付凹部、７１  送出口、３２１  電源用コネクタ部
【図１】
2017002828.tif 000003
【図２】
2017002828.tif 000004
【図４】
2017002828.tif 000005
【図６】
2017002828.tif 000006
【図３】
2017002828.tif 000007
【図５】
2017002828.tif 000008